(57)【要約】  圧迫ガーメントは、そのような圧迫ガーメントを着用する、または身につけるためにミットと、締め付け具とを含んでよい。ミットは、ユーザがミットを利用してガーメントの１つまたは複数の部分を移動させることができるように、ユーザの手を収容するように構成されてよい。締め付け具は、ユーザがガーメントをユーザの身体の一部の周りに選択的に締め付けたり緩めたりすることを可能にすることができる。ひとたび着用されると、圧迫ガーメントは、例えば腕の領域、肩の領域、胴体の領域及び首の領域などのユーザの身体の１つまたは複数の領域に圧力を加えることができる。【選択図】図５
2018531129.tif 000002
【特許請求の範囲】
【請求項１】
１つまたは複数の身体の一部に圧迫を適用するために、ユーザの前記１つまたは複数の身体の一部の周りに巻き付けることが可能な１つまたは複数のガーメント部分であって、前記１つまたは複数のガーメント部分の巻き付けられるガーメント部分は、近位端領域から延び、前記１つまたは複数のガーメント部分を前記１つまたは複数の身体の一部の周りに巻き付けるために前記ユーザによって移動されるように構成された遠位端領域において終端しており、前記巻き付けられるガーメント部分は、前記遠位端領域にミットを備え、前記ミットが前記ユーザの手を収容するためのミット開口部を画定することで、前記１つまたは複数の圧迫ガーメント部分を着用する際、及び前記１つまたは複数のガーメント部分を前記ユーザの前記１つまたは複数の身体の一部の周りに巻き付ける際に前記ユーザを補助する１つまたは複数のガーメント部分と、
前記巻き付けられるガーメント部分に結合されることで、前記１つまたは複数のガーメント部分を前記１つまたは複数の身体の一部の周りに選択的に締め付ける締め付け具であって、前記近位端領域から前記遠位端領域まで規定される前記巻き付けられるガーメント部分の長さを選択的に調節する締め付け具とを備える圧迫ガーメント。
【請求項２】
前記１つまたは複数のガーメント部分は、前記ユーザの上部胴体の周りに巻き付けることが可能なベストガーメントを画定し、前記ベストガーメントは、リンパ液を前記胴体から１つまたは複数の腋窩部リンパ節まで移動させるのを助けるために前記圧迫ガーメントが着用される際、前記ユーザの前記胴体の複数の胴体の領域に圧力を加えるために複数の圧力付与領域を備え、前記巻き付けられるガーメント部分は、前記１つまたは複数のガーメント部分を前記ユーザの胴体の周りに巻き付けるために、前記ユーザの胴体の少なくとも一部を囲むように巻き付けることが可能であり、前記締め付け具が、前記１つまたは複数のガーメント部分を前記ユーザの胴体の周りに選択的に締め付ける、請求項１に記載の圧迫ガーメント。
【請求項３】
前記締め付け具は、前記ベストガーメントがユーザによって着用される際、前記ユーザの前面側に配置される、請求項２に記載の圧迫ガーメント。
【請求項４】
前記１つまたは複数のガーメント部分は、前記ユーザの下部胴体の周りに巻き付けることが可能な下部胴体ガーメントを画定し、前記下部胴体ガーメントは、リンパ液を前記下部胴体から１つまたは複数の腋窩部リンパ節まで移動させるのを助けるために前記圧迫ガーメントが着用される際、前記ユーザの前記下部胴体の複数の下部胴体の領域に圧力を加えるために複数の圧力付与領域を備え、前記巻き付けられるガーメント部分は、前記１つまたは複数のガーメント部分を前記ユーザの下部胴体の周りに巻き付けるために、前記ユーザの下部胴体の少なくとも一部を囲むように巻き付けることが可能であり、前記締め付け具が、前記１つまたは複数のガーメント部分を前記ユーザの下部胴体の周りに選択的に締め付ける、請求項１〜３のいずれか一項に記載の圧迫ガーメント。
【請求項５】
前記１つまたは複数のガーメント部分は、前記ユーザの脚の周りに巻き付けることができる脚ガーメントを画定し、前記脚ガーメントは、リンパ液を前記脚から１つまたは複数の腋窩部リンパ節まで移動させるのを助けるために前記圧迫ガーメントが着用される際、前記ユーザの前記脚の複数の脚の領域に圧力を加えるために複数の圧力付与領域を備え、前記巻き付けられるガーメント部分は、前記１つまたは複数のガーメント部分を前記ユーザの脚の周りに巻き付けるために、前記ユーザの脚の少なくとも一部を囲むように巻き付けることが可能であり、前記締め付け具が、前記１つまたは複数のガーメント部分を前記ユーザの脚の周りに選択的に締め付ける、請求項１〜４のいずれか一項に記載の圧迫ガーメント。
【請求項６】
前記１つまたは複数のガーメント部分は、前記ユーザの頭部の周りに巻き付けることができる頭部ガーメントを画定し、前記頭部ガーメントは、リンパ液を前記頭部から１つまたは複数の腋窩部リンパ節まで移動させるのを助けるために前記圧迫ガーメントが着用される際、前記ユーザの前記頭部の複数の頭部の領域に圧力を加えるために複数の圧力付与領域を備え、前記巻き付けられるガーメント部分は、前記１つまたは複数のガーメント部分を前記ユーザの頭部の周りに巻き付けるために、前記ユーザの頭部の少なくとも一部を囲むように巻き付けることが可能であり、前記締め付け具が、前記１つまたは複数のガーメント部分を前記ユーザの頭部の周りに選択的に締め付ける、請求項１〜５のいずれか一項に記載の圧迫ガーメント。
【請求項７】
前記１つまたは複数のガーメント部分は、前記複数の圧力付与領域に対応し、かつ前記圧迫ガーメントが着用される際、前記ユーザの前記１つまたは複数の身体の一部の複数の領域に圧力を加えるために流体を収容するように構成された複数の小室を備える、請求項１〜６のいずれか一項に記載の圧迫ガーメント。
【請求項８】
前記巻き付けられるガーメント部分は、リンパ液を前記１つまたは複数の身体の一部から１つまたは複数の腋窩部リンパ節まで移動させるために、前記ユーザの前記１つまたは複数の身体の一部の複数の領域に圧力を加えるために複数の圧力付与領域を備える、請求項１〜７のいずれか一項に記載の圧迫ガーメント。
【請求項９】
前記締め付け具は、
前記巻き付けられるガーメント部分の前記近位端領域と前記遠位端の間に位置決めされた少なくとも１本のレースと、
前記少なくとも１本のレースに結合され、前記少なくとも１本のレ−スに張力を加えることで前記近位端領域を前記遠位端領域に対して移動させる締め付けデバイスとを備える、請求項１〜８のいずれか一項に記載の圧迫ガーメント。
【請求項１０】
前記締め付け具は、
前記巻き付けられるガーメント部分に結合された複数の第１のガイド部材と、
前記巻き付けられるガーメント部分に結合された複数の第２のガイド部材とをさらに備え、前記複数の第２のガイド部材は、前記複数の第１のガイド部材より、前記巻き付けられる部分の前記遠位端領域に近づけて配置され、前記少なくとも１本のレースは、前記複数の第１のガイド部材と、前記複数の第２のガイド部材の間を往復するように延在しており、前記少なくとも１本のレースの作用する長さは、前記複数の第１のガイド部材と、前記複数の第２のガイド部材の間を往復するように延在する前記少なくとも１本のレースの長さによって規定されており、前記作用する長さは、前記近位端領域から前記遠位端領域まで規定される前記巻き付けられる前記ガーメント部分の前記長さを選択的に調節するために前記締め付けデバイスを用いることによって選択的に調節可能である、請求項９に記載の圧迫ガーメント。
【請求項１１】
前記締め付けデバイスは、前記少なくとも１本のレースの一部分を保管するために特定の軸を中心に回転可能であるスプール部分をさらに備える、請求項１０に記載の圧迫ガーメント。
【請求項１２】
前記締め付けデバイスは、締め付ける構成と、緩める構成とに構成可能であり、前記作用する長さは、前記締め付けデバイスが、前記締め付ける構成に構成される際、選択的に短くすることが可能であり、長くされないように制限され、前記作用する長さは、前記締め付けデバイスが前記緩める構成に構成される際、選択的に長くされる、請求項１０〜１１のいずれか一項に記載の圧迫ガーメント。
【請求項１３】
前記ミット開口部は、前記ユーザの前記手の指よりも多くの部分を収容するようにサイズが決められる、請求項１〜１２のいずれか一項に記載の圧迫ガーメント。
【請求項１４】
前記巻き付けられる部分の前記遠位端領域は、前記１つまたは複数のガーメント部分の別のガーメント部分に取り外し可能に結合可能である、請求項１〜１３のいずれか一項に記載の圧迫ガーメント。
【請求項１５】
前記巻き付けられる部分の前記遠位端領域は、面ファスナー式の留め具を利用して前記１つまたは複数のガーメント部分の別のガーメント部分に取り外し可能に結合可能である、請求項１４に記載の圧迫ガーメント。
【請求項１６】
身体の胴体に近接して位置決め可能であり、前記胴体の複数の部分に圧力を加えるように制御可能な複数の胴体圧力付与領域を画定する胴体ガーメント部分であって、
前記胴体の背面から前記胴体の左側を横切って前記胴体の前面まで延びる左側の胴体ガーメント部分と、
前記胴体の前記背面から前記胴体の右側を横切って前記胴体の前記前面まで延びる右側の胴体ガーメント部であって、前記胴体の前記前面に近接して前記左側の胴体ガーメント部分に取り外し可能に結合可能であり、前記胴体の前記背面に近接して前記左側の胴体ガーメント部分に取り外し可能に結合可能な右側の胴体ガーメント部と、
前記胴体の前記背面に近接して位置決め可能であり、かつ前記胴体の首の領域に近接して前記左側の胴体ガーメント部分及び前記右側の胴体ガーメント部分に結合される背面胴体ガーメント部分と、
前記背面胴体ガーメント部分から延出し前記胴体の左側を囲むように前記胴体の前記前面まで延びる左側の巻き付けられる部分であって、前記胴体ガーメント部分を前記身体の前記胴体の周りに締め付けるために、少なくとも前記左側の胴体ガーメント部分に取り外し可能に結合可能な左側の巻き付けられる部分と、
前記背面胴体ガーメント部分から延出し前記胴体の右側を囲むように前記胴体の前記前面まで延びる右側の巻き付けられる部分であって、前記胴体ガーメント部分を前記身体の前記胴体の周りに締め付けるために、少なくとも前記右側の胴体ガーメント部分に取り外し可能に結合可能な右側の巻き付けられる部分とを備え、
前記左側の巻き付けられる部分と、前記右側の巻き付けられる部分の少なくとも一方は、前記巻き付けられる部分を前記身体の前記胴体の周りで移動させるために、前記身体の手を収容するように構成されたミット開口部を備え、前記左側の巻き付けられる部分と、右側の巻き付けられる部分の少なくとも一方は、前記胴体ガーメント部分を前記身体に近接して締め付けるために締め付け具を備える胴体ガーメント部分を備える圧迫ガーメントシステム。
【請求項１７】
前記締め付け具は、
前記巻き付けられる部分の第１の部分と第２の部分の間に位置決めされた少なくとも１本のレースと、
前記少なくとも１本のレ−スに結合され、前記少なくとも１本のレースに張力を加えることで前記巻き付けられる部分の前記第１の部分を前記巻き付けられる部分の前記第２の部分に対して移動させるように構成された締め付けデバイスとを備える、請求項１６に記載の圧迫ガーメントシステム。
【請求項１８】
前記右側の胴体ガーメント部分は、前記胴体ガーメント部分のために複数の異なるサイズを画定するために、複数の位置に沿って前記胴体の前記背面に近接して前記左側の胴体ガーメント部分に取り外し可能に結合可能である、請求項１６〜１７のいずれか一項に記載の圧迫ガーメントシステム。
【請求項１９】
前記右側の胴体ガーメント部分は、ジッパーを用いて前記胴体の前記前面に近接して前記左側の胴体ガーメント部分に取り外し可能に結合可能である、請求項１６〜１８のいずれか一項に記載の圧迫ガーメントシステム。
【発明の詳細な説明】
【技術分野】
【０００１】
本出願は、「Ｈｅａｄ  ａｎｄ  Ｎｅｃｋ  Ｃｏｍｐｒｅｓｓｉｏｎ  Ｔｈｅｒａｐｙ
Ｓｙｓｔｅｍ」というタイトルで２０１５年１０月５日に提出された米国仮出願第６２／２３７，１９２号、「Ｓｔａｔｉｃ  ａｎｄ  Ｄｙｎａｍｉｃ  Ｃｏｍｐｒｅｓｓｉｏｎ  Ｔｈｅｒａｐｙ  Ｓｙｓｔｅｍ」というタイトルで２０１５年１０月５日に提出された米国仮出願第６２／２３７，２００号、「Ｈｅａｄ  ａｎｄ  Ｎｅｃｋ  Ｃｏｍｐｒｅｓｓｉｏｎ  Ｇａｒｍｅｎｔ」というタイトルで２０１５年１０月５日に提出された米国仮出願第６２／２３７，２０９号、「Ｃｏｍｐｒｅｓｓｉｏｎ  Ｇａｒｍｅｎｔ  Ｓｙｓｔｅｍ」というタイトルで２０１６年１月２１日に提出された米国仮出願第６２／２８１，７０６号、及び「Ｍｉｔｔ  Ｆｏｒ  Ｃｏｍｐｒｅｓｓｉｏｎ  Ｇａｒｍｅｎｔｓ」というタイトルで２０１６年３月９日に提出された米国仮出願第６２／３０５，９５１号の利益を主張しており、これらの出願の各々はその全体において本明細書に組み込まれる。
【０００２】
本開示は一般に、そのような圧迫ガーメントを着用する、または身につけるためにミットと、締め付け具とを含む圧迫ガーメントの利用に関する。ひとたび着用されると、圧迫ガーメントは、例えば腕の領域、肩の領域、胴体の領域及び首の領域などの身体の一部の１つまたは複数の領域に圧力を加えることができる。
【背景技術】
【０００３】
例えばリンパ浮腫、浮腫、傷の治療などのために様々なタイプの圧迫ガーメントが利用されてよい。例えばガーメントは、患者に治療を提供するために膨らますことができるチャンバもしくは小室（または他の作動可能要素）を含む場合があり、ヒトまたは動物の任意の１つまたは複数の身体の一部の周りに位置決めされてよい。具体的には、ガーメントは、リンパ液の蓄積が原因でむくみを呈し、かつガーメントによって提供される圧迫治療から利益を得るであろう身体の一部の周りに位置決めされてよい。例えばそのようなチャンバまたは小室は、リンパ液を特定の領域から別の領域に移動させることによって患者に治療を提供するために様々な順序での１つまたは複数の異なる圧力に対して膨張可能であってよい。換言すると、そのような圧迫ガーメントは、病気に冒された末端部分において身体に圧力を加える際に使用するために、個人の身体の少なくとも一部を囲むように配置されてよい。このような圧迫ガーメントは、患者自身でまたは他の人の助けを借りて、着たり（例えば身につける）脱いだり（例えば取り去る）することができる。
【０００４】
本明細書に記載される一例のガーメントは、この一例のガーメントを着用する際にユーザを補助するために１つまたは複数のミットと、１つまたは複数の締め付け具とを含んでよい。ミットが、ユーザの手を収容するための開口部を画定することで、ガーメントの１つまたは複数の部分をユーザの身体の周りで移動させることができる。ミットは、一例のガーメントを着用する際、ユーザに利便性と、使い勝手の良さを提供することができる。例えばミットは、圧迫ガーメントを着用するためのより効果的でより容易な方法を提供し、かつ従来の圧迫ガーメントに関連していた可能性のある着用の難しさを緩和するように記載されてよい。ガーメントが、ユーザの１つまたは複数の身体の一部の周りに位置決めされた後、またはその一部のみが着用された後、締め付け具を使用して、一例の圧迫ガーメント及びその一部を締め付けることができる。締め付け具は、圧迫ガーメントをユーザの身体の周りに締め付けたり緩めたりするのにより効果的でより容易なプロセスとして記載されてよく、このことは、そのような圧迫ガーメントを締め付けたり、緩めたりするプロセスを簡素化する場合もある。
【０００５】
一例の圧迫ガーメントは、１つまたは複数の身体の一部に圧迫を適用するために、ユーザの１つまたは複数の身体の一部の周りに巻き付けることが可能な１つまたは複数のガーメント部分を含んでよい。１つまたは複数のガーメント部分の巻き付けられるガーメント部分は、近位端領域から延びてよく、遠位端領域において終端してよい。遠位端領域は、１つまたは複数のガーメント部分を１つまたは複数の身体の一部の周りに巻き付けるためにユーザによって移動されるように構成されてよい。巻き付けられるガーメント部分は、遠位端領域にミットを含み、ユーザの手を収容するためのミット開口部を画定することで、１つまたは複数の圧迫ガーメント部分を着用する際、及び１つまたは複数のガーメント部分をユーザの１つまたは複数の身体の一部の周りに巻き付ける際にユーザを補助することができる。一例の圧迫ガーメントはさらに、巻き付けられるガーメント部分に結合された締め付け具を含むことで、１つまたは複数のガーメント部分を１つまたは複数の身体の一部の周りに選択的に締め付けることができる。締め付け具は、近位端領域から遠位端領域まで規定される巻き付けられるガーメント部分の長さを選択的に調節することができる。
【０００６】
１つまたは複数の実施形態において、１つまたは複数のガーメント部分は、ユーザの上部胴体（例えば胸、背中、腹部など）の周りに巻き付けることが可能なベストガーメントを画定することができる。ベストガーメントは、リンパ液を上部胴体から１つまたは複数の腋窩部リンパ節まで移動させるのを助けるために圧迫ガーメントが着用される際、ユーザの上部胴体の複数の上部胴体の領域に圧力を加えるために複数の圧力付与領域を含むことができる。巻き付けられるガーメント部分は、１つまたは複数のガーメント部分をユーザの上部胴体の周りに巻き付けるために、ユーザの上部胴体の少なくとも一部を囲むように巻き付けることが可能であり、締め付け具が、１つまたは複数のガーメント部分をユーザの上部胴体の周りに選択的に締め付けることができる。少なくとも１つの実施形態では、締め付け具は、ベストガーメントがユーザによって着用される際、ユーザの前面側に配置されてよい。
【０００７】
１つまたは複数の実施形態において、１つまたは複数のガーメント部分は、ユーザの下部胴体（例えばウエスト、骨盤、臀部など）の周りに巻き付けることが可能な下部胴体ガーメントを画定することができる。下部胴体ガーメントは、リンパ液を下部胴体から１つまたは複数の腋窩部リンパ節まで移動させるのを助けるために圧迫ガーメントが着用される際、ユーザの下部胴体の複数の下部胴体の領域に圧力を加えるために複数の圧力付与領域を含むことができる。巻き付けられるガーメント部分は、１つまたは複数のガーメント部分をユーザの下部胴体の周りに巻き付けるために、ユーザの下部胴体の少なくとも一部を囲むように巻き付けることが可能であり、締め付け具が、１つまたは複数のガーメント部分をユーザの下部胴体の周りに選択的に締め付けることができる。
【０００８】
１つまたは複数の実施形態において、１つまたは複数のガーメント部分は、ユーザの脚の周りに巻き付けることができる脚ガーメントを画定することができる。脚ガーメントは、リンパ液を脚から１つまたは複数の腋窩部リンパ節まで移動させるのを助けるために圧迫ガーメントが着用される際、ユーザの脚の複数の脚の領域に圧力を加えるために複数の圧力付与領域を含むことができる。巻き付けられるガーメント部分は、１つまたは複数のガーメント部分をユーザの脚の周りに巻き付けるために、ユーザの脚の少なくとも一部を囲むように巻き付けることが可能であり、締め付け具が、１つまたは複数のガーメント部分をユーザの脚の周りに選択的に締め付けることができる。
【０００９】
１つまたは複数の実施形態において、１つまたは複数のガーメント部分は、ユーザの頭部の周りに巻き付けることができる頭部ガーメントを画定することができる。頭部ガーメントは、リンパ液を頭部から１つまたは複数の腋窩部リンパ節まで移動させるのを助けるために圧迫ガーメントが着用される際、ユーザの頭部の複数の頭部の領域に圧力を加えるために複数の圧力付与領域を含むことができる。巻き付けられるガーメント部分は、１つまたは複数のガーメント部分をユーザの頭部の周りに巻き付けるために、ユーザの頭部の少なくとも一部を囲むように巻き付けることが可能であり、締め付け具が、１つまたは複数のガーメント部分をユーザの頭部の周りに選択的に締め付けることができる。
【００１０】
１つまたは複数の実施形態において、１つまたは複数のガーメント部分は、複数の圧力付与領域に対応し、かつ圧迫ガーメントが着用される際、ユーザの１つまたは複数の身体の一部の複数の領域に圧力を加えるために流体を収容するように構成された複数の小室を含んでよい。さらに巻き付けられるガーメント部分は、リンパ液を１つまたは複数の身体の一部から１つまたは複数の腋窩部リンパ節まで移動させるために、ユーザの１つまたは複数の身体の一部の複数の領域に圧力を加えるために複数の圧力付与領域を含んでよい。
【００１１】
１つまたは複数の実施形態において、締め付け具は、巻き付けられるガーメント部分の近位端領域と遠位端の間に位置決めされた少なくとも１本のレースと、該少なくとも１本のレースに結合され、少なくとも１本のレ−スに張力を加えることで近位端領域を遠位端領域に対して移動させる締め付けデバイスとを含んでよい。さらに、締め付け具は、巻き付けられるガーメント部分に結合された複数の第１のガイド部材と、巻き付けられるガーメント部分に結合された複数の第２のガイド部材とをさらに含んでよい。複数の第２のガイド部材は、複数の第１のガイド部材より、巻き付けられる部分の遠位端領域に近づけて配置されてよい。少なくとも１本のレースは、複数の第１のガイド部材と、複数の第２のガイド部材の間を往復するように延在するように記載されてよい。少なくとも１本のレースの作用する長さは、複数の第１のガイド部材と、複数の第２のガイド部材の間を往復するように延在する少なくとも１本のレースの長さによって規定されてよい。さらに、作用する長さは、近位端領域から遠位端領域まで規定される巻き付けられるガーメント部分の長さを選択的に調節するために締め付けデバイスを用いることによって選択的に調節可能であってよい。少なくとも１つの実施形態では、締め付けデバイスは、少なくとも１本のレースの一部分を保管するために特定の軸を中心に回転可能であるスプール部分をさらに含む場合もある。少なくとも１つの実施形態では、締め付けデバイスは、締め付ける構成と、緩める構成とに構成可能であってよい。作用する長さは、締め付けデバイスが締め付ける構成に構成される際、選択的に短くすることが可能であり、伸張されたり長くされないように制限されてよい。また作用する長さは、締め付けデバイスが緩める構成に構成される際、選択的に伸張される、または長くされてよい。
【００１２】
１つまたは複数の実施形態において、ミット開口部は、ユーザの手の指よりも多くの部分を収容するようにサイズが決められてよい。１つまたは複数の実施形態において、巻き付けられる部分の遠位端領域は、１つまたは複数のガーメント部分の別のガーメント部分に取り外し可能に結合可能であってよい。さらに巻き付けられる部分の遠位端領域は、面ファスナー式の留め具を利用して１つまたは複数のガーメント部分の別のガーメント部分に取り外し可能に結合可能である場合もある。
【００１３】
一例の圧迫ガーメントシステムは、身体の胴体に近接して位置決め可能な胴体ガーメント部分を含んでよい。胴体ガーメント部分は、胴体の複数の部分に圧力を加えるように制御可能な複数の胴体圧力付与領域を画定することができる。胴体ガーメント部分は、胴体の背面から胴体の左側を横切って胴体の前面まで延びる左側の胴体ガーメント部分と、胴体の背面から胴体の右側を横切って胴体の前面まで延びる右側の胴体ガーメント部分とを含んでよい。右側の胴体ガーメント部分は、胴体の前面に近接して左側の胴体ガーメント部分に取り外し可能に結合可能であってよく、また右側の胴体ガーメント部分は、胴体の背面に近接して左側の胴体ガーメント部分に取り外し可能に結合可能である場合もある。胴体ガーメント部分はさらに、胴体の背面に近接して位置決め可能であり、かつ胴体の首の領域に近接して左側の胴体ガーメント部分及び右側の胴体ガーメント部分に結合される背面胴体ガーメント部分と、背面胴体ガーメント部分から延出し胴体の左側を囲むように胴体の前面まで延びる左側の巻き付けられる部分とを含んでよい。左側の巻き付けられる部分は、胴体ガーメント部分を身体の胴体の周りに締め付けるために、少なくとも左側の胴体ガーメント部分に取り外し可能に結合可能であってよい。胴体ガーメント部分はさらに、背面胴体ガーメント部分から延出し胴体の右側を囲むように胴体の前面まで延びる右側の巻き付けられる部分を含んでよい。右側の巻き付けられる部分は、胴体ガーメント部分を身体の胴体の周りに締め付けるために、少なくとも右側の胴体ガーメント部分に取り外し可能に結合可能であってよい。左側の巻き付けられる部分と、右側の巻き付けられる部分の一方またはその両方は、左側の巻き付けられる部分と右側の巻き付けられる部分の一方またはその両方を身体の胴体の周りで移動させるために、身体の手を収容するように構成されたミット開口部を含んでよい。さらに左側の巻き付けられる部分と、右側の巻き付けられる部分の一方またはその両方は、胴体ガーメント部分を身体に近接して締め付けるために締め付け具を含んでよい。
【００１４】
１つまたは複数の実施形態において、締め付け具は、巻き付けられる部分の第１の部分と第２の部分の間に位置決めされた少なくとも１本のレースと、該少なくとも１本のレ−スに結合され、該少なくとも１本のレースに張力を加えることで巻き付けられる部分の第１の部分を巻き付けられる部分の第２の部分に対して移動させるように構成された締め付けデバイスとを含んでよい。さらに１つまたは複数の実施形態において、右側の胴体ガーメント部分は、胴体ガーメント部分のために複数の異なるサイズを画定するために、複数の位置に沿って胴体の背面に近接して左側の胴体ガーメント部分に取り外し可能に結合可能であってよい。さらに１つまたは複数の実施形態において、右側の胴体ガーメント部分は、ジッパーを用いて胴体の前面に近接して左側の胴体ガーメント部分に取り外し可能に結合可能であってよい。
【００１５】
上記の概説は、本開示の各々の実施形態または全ての実装形態を説明することは意図されていない。より完全な理解は、添付の図面と併せて利用される以下の詳細な記載及びクレームを参照することによって明白になり、正当に評価されるであろう。
【図面の簡単な説明】
【００１６】
【図１】身体に配置された一例の圧迫胴体ガーメント及び圧迫頭部ガーメントの前面図である。
【図２】一例の圧迫システムを利用してリンパ液が頭部及び首を通って特定の方向に流れるのを例示する、人の身体の頭部及び首の一例の側面図である。
【図３】特定のリンパ節と、一例の圧迫システムを利用してリンパ液が頭部及び首を通って特定の方向に流れるのを例示する、人の身体の頭部及び首の斜視図である。
【図４】特定のリンパ節と、一例の圧迫システムを利用してリンパ液が頭部及び首を通って特定の方向に流れるのを例示する、人の身体の一例の背面図である。
【図５】ミットと、締め付け具とを有する巻き付けられる部分を含む一例の圧迫ガーメントの線図である。
【図６】図１及び図５のミットを説明するのに使用するための手の略図である。
【図７】１つまたは複数の圧力付与領域を含む、図１に示されるような一例の圧迫ガーメントの頭部ガーメント部分の平面図である。
【図８】１つまたは複数の圧力付与領域を含む、図１に示されるような一例の圧迫ガーメントシステムの胴体ガーメント部分と、首ガーメント部分の平面図である。
【図９】身体に着用され、身体を囲むように結合された一例の胴体ガーメント部分の前面図である。
【図１０】身体を囲むようになおいっそう結合される、または固定される図９の胴体ガーメント部分の前面図である。
【図１１】身体を囲むようになおいっそう結合された、または固定された図９の胴体ガーメント部分の前面図である。
【図１２】着用され、締め付けるために身体に対して結合された後の図９の胴体ガーメント部分の前面図である。
【図１３】図１３Ａは、一例の圧迫ガーメントの１つまたは複数のガーメント部分を着用するのを補助するために、図１及び図５〜図１２の一例の圧迫ガーメントの中で使用するための一例の締め付け具（例えばレーシングシステム）の斜視図であり、図１３Ｂは、一例の圧迫ガーメントの１つまたは複数のガーメント部分を着用するのを補助するために、図１及び図５〜図１２の一例の圧迫ガーメントの中で使用するための一例の締め付け具（例えばレーシングシステム）の斜視図である。
【図１４】図１及び図５〜図１２に示されるような一例のガーメント部分のうちの１つと共に使用され得る、一例の圧迫ガーメントの作動可能要素（例えば膨張可能なチャンバまたは小室）を含む１つまたは複数の小室の断面図である。
【発明を実施するための形態】
【００１７】
例示の実施形態の以下の詳細な記載において、添付の図面の図が参照されており、これらの図はこの文書の一部を形成しており、また例示の目的で、実施され得る特定の実施形態がそこに示されている。その他の実施形態が利用される場合もあり、本明細書に提示される開示の範囲から逸脱することなく（例えばなおもその範囲内にある）、構造上の変更が行われる場合があることを理解されたい。
【００１８】
一例のガーメント、装置、システム及び構造が図１〜図１４を参照して説明される。一実施形態からの要素は、他の実施形態の要素と組み合わせて使用される場合があること、ならびに本明細書に記載される特徴の組み合わせを利用するそのようなガーメント、装置、システム及び構造の可能な実施形態は、図面に示される及び／または本明細書に記載される特定の実施形態に限定されないことは当業者に明らかであろう。さらに、本明細書に記載される実施形態は、必ずしも縮尺通りではない多くの要素を含む場合があることが認識されるであろう。さらに、本明細書の種々の要素のサイズ及び形状は修正される場合があるが、それでもなおそれらは本開示の範囲内にあり、但し要素の特定の１つまたは複数の形状及び／またはサイズあるいは種類が他のものに対して有利である場合があることを認識されたい。
【００１９】
本開示は一般に、身体（例えばヒト、動物など）の一部に着用されるように構成され、身体のそのような部分に圧力を加えるように構成されたガーメント部分を含む圧迫ガーメントに関する。圧迫ガーメントは、ガーメントを着用する際にユーザを補助するのに使用するための１つまたは複数のミットと、ユーザが圧迫ガーメントを締め付けたり緩めたりするのを補助するのに使用するための締め付け具とを含んでよい。
【００２０】
圧迫ガーメントシステム（「Ｌｙｍｐｈｅｄｅｍａ  Ｔｒｅａｔｍｅｎｔ  Ｓｙｓｔｅｍ」というタイトルの米国特許第６，１７９，７９６号、「Ｌｙｍｐｈｅｄｅｍａ  Ｔｒｅａｔｍｅｎｔ  Ｓｙｓｔｅｍ」というタイトルの米国特許第６，６４５，１６５号、「Ｌｙｍｐｈｅｄｅｍａ  Ｔｒｅａｔｍｅｎｔ  Ｓｙｓｔｅｍ」というタイトルの米国特許第６，８６０，８６２号及び「Ｌｙｍｐｈｅｄｅｍａ  Ｔｒｅａｔｍｅｎｔ  Ｓｙｓｔｅｍ」というタイトルの米国特許第６，９６６，８８４号に記載される圧迫ガーメントなどであり、これらの特許の各々は、その全体において参照により本明細書に組み込まれており、いくぶん修正される場合があり、また本明細書に記載される特徴によって修正される場合がある）は、リンパ浮腫を持つ人々のための治療、動物が必要とする治療、傷の治療などを含め様々な理由のために使用されてよい。本明細書で使用される際、身体という用語は、ヒトのみではなく、本明細書に記載される概念及び特徴から利益を得る可能性のある任意の他の動物種も指している。このような圧迫ガーメントは、個人の身体の少なくとも一部を囲むように配置され、病気に冒された末端部分において（例えば頭部、首、腕、胴体、肩など）身体に圧力を加えるのに使用されてよい。本明細書に記載される一部の実施形態は、身体の少なくとも一部（例えばヒトの身体、腕、胴体、肩、頭部、首など）に位置決めされるように（例えばその周りに巻き付けられる、隣合わせに配置される、近接して位置決めされるなど）構成されたガーメントを有する圧迫システムを含んでよい。圧迫ガーメントは、個人自身で、または他の人の助けを借りて着たり（例えば身につける）脱いだりする（例えば取り去る）ことができる。ガーメントはまた、圧迫治療を行うために流体（例えば空気）を収容するように構成されたガーメントの分散された（例えば、くまなく分散された、特定の長さに沿って中心点または中心軸から離れるように「放射状に広がる」同心のパターンで分散された）１つまたは複数のチャンバ（例えば小室、仕切り、密閉された空間、空気袋など）を含んでよい。
【００２１】
圧迫ガーメントシステムによって提供される圧迫治療は、リンパ浮腫を治療するのに役立つ場合がある。リンパ浮腫は、遺伝によるもの、癌の治療によって生じるもの、寄生虫感染、怪我、手術などによって生じる可能性のある局所的な体液貯留及び組織の膨張の特定の症状である。例えば頭部及び首のリンパ浮腫は、頭部、首、下顎骨下領域、頬、鼻、まぶたなどの周囲で膨張を引き起こす場合がある。頭部及び首を覆う本明細書に記載される圧迫ガーメントは、病気に冒された個人によって使用されることで治療上の利点を提供することができる。具体的には、圧迫ガーメントは、リンパ液をより有利な場所に向けて（例えば排液領域に向けて、病気に冒された領域から離れるようになど）移動させるために、圧力を加えることによってリンパ節またはリンパ管を上手く扱うように構成されてよい。例えば本明細書に記載されるシステムを用いる圧迫治療が頭部及び首の領域の周りで行われることで、例えばリンパ液を胴体に向けて移動させることによって頭部及び首の領域におけるリンパ浮腫を治療するのに役立つ場合がある。
【００２２】
本明細書に記載される圧迫ガーメントは、身体の病気に冒された領域に圧力を加えることで圧迫治療を適用するように構成されてよい。圧迫ガーメントは、各々が制御可能な圧力付与領域を含む種々の部分を含んでよい。各々の制御可能な圧力付与領域は、身体の特定の部分に圧力を加える（例えば治療における特定の時間に）ように構成されてよい。制御可能な圧力付与領域は互いと組み合わせて作用することで、リンパ液を所望される方向に（例えば頭部から首に向かって、首から胴体に向かってなど）移動させる一連の圧力を身体に加えることによって治療を提供するのに役立つ場合もある。リンパ液を移動させる一連の圧力を身体に対してそのように付与することは（例えば圧力は、圧迫治療中の異なる時間に頭部及び首の１つまたは複数の部分に加えられる）、身体に対して動的な圧力を加えることを指す場合がある。圧力のシーケンスは、例えば遠位領域から近位領域までの圧力勾配と呼ばれる場合もある。加えて、一部の実施形態では、動的圧力は連続して加えられない場合もあり、代わりに非連続式に加えられる場合もある。
【００２３】
圧迫ガーメントの制御可能な圧力付与領域はまた、身体に静圧を加える場合もある。例えば圧迫ガーメントは、ガーメントの一部が、身体の上に位置決めされる際、または身体の周りに位置決めされる際、治療の時間にわたって一定の圧力（例えば治療時間の全体にわたる静圧）を加える場合がある、あるいは治療の時間の中で経時的に変化するように制御され得る圧力（例えば動的な圧力）を加える場合もある。１つまたは複数の実施形態において、動圧は、圧迫ガーメント内の１つまたは複数のチャンバを介して身体のその部分に加えられてよい。１つまたは複数のチャンバは、流体を収容するように構成されてよい。代替として、あるいは１つまたは複数の流体収容チャンバと組み合わせて、そのような圧力は、身体に圧力を加えるように構成された圧迫ガーメント内の１つまたは複数の作動可能要素（例えば圧迫を提供するのに適した電気制御される物質）を利用して加えられる場合もある。
【００２４】
一例の圧迫ガーメントは、例えば１つまたは複数の身体の一部に圧迫を適用するために、ユーザの１つまたは複数の身体の一部の周りに巻き付けることが可能なガーメント部分のうちの１つまたは複数あるいは複数のガーメント部分を含んでよい。例えば頭部、首及び胴体などの人の身体１０の１つまたは複数の部分を囲むように、またはその周りに位置決めされるように構成されたガーメント１０１（例えば圧迫ガーメント）を含む一例の圧迫ガーメントシステム１００が図１に示されている。ガーメント１０１は、多様な異なる方法で身体に対して（例えば図２〜図４に示されるように頭部１４、首１１、身体１０の前面部分、身体１０の背面部分、額１５、顎１８、右頬１６及び左頬１７、胴体２０などに対して）位置決めされてよい。例えば図１に示されるように、ガーメント１０１は、身体１０の頭部、首及び胴体を囲むように位置決めされる。１つまたは複数の実施形態において、ガーメント１０１は、腕、ウエスト、脚または身体１０の任意の他の部分を覆う場合もある。図１に示されるようにガーメント１０１は、身体１０の頭部、首及び胴体に位置決めされているが、ガーメント１０１は、身体１０の頭部及び首に位置決めされる部分のみ、身体の頭部１０に位置決めされる部分のみ、身体１０の胴体に位置決めされる部分のみ、ならびに身体１０の胴体及び首に位置決めされる部分のみを含む場合もある。
【００２５】
一例のガーメント１０１は、首ガーメント部分１１０と、頭部ガーメント部分１２０と、胴体ガーメント部分１４０とを含んでよい。首ガーメント部分１１０、頭部ガーメント部分１２０及び胴体ガーメント部分１４０の各々は、互いに対して様々な方法で結合されてよい。例えば、１つまたは複数の実施形態において、頭部ガーメント部分１２０と、首ガーメント部分１１０は、互いに結合されてよい。より具体的には、頭部ガーメント部分１２０と、首ガーメント部分１１０は、身体１０の背面において、身体１０の前面において、頭部ガーメント部分１２０と、首ガーメント部分１１０が交差する部分に沿ってなどで互いに結合されてよい。
【００２６】
胴体ガーメント部分１４０は、身体１０の胴体に近接して位置決めされるように構成されてよい。１つまたは複数の実施形態において、胴体ガーメント部分１４０は、首ガーメント部分１１０に結合可能であってよい（例えば胴体ガーメント部分１４０は、頭部ガーメント１２０及び首ガーメント１１０とは別個であってよい、胴体ガーメント部分１４０は、例えば面ファスナー式の留め具などを利用して、首ガーメント部分１１０及び／または頭部ガーメント部分１２０に取り外し可能に結合されてよい）。例えば胴体ガーメント部分１４０と、首ガーメント部分１１０は、身体１０の背面において、身体１０の前面において、及び胴体ガーメント部分１４０と首ガーメント部分１１０が交差する部分に沿ってなどで互いに結合されてよい。さらに１つまたは複数の実施形態において、胴体ガーメント部分１４０と、首ガーメント部分１１０は、胴体ガーメント部分１４０と首ガーメント部分１１０が交差する部分全体（例えばこの場合、そのような部分は互いの隣にある）に沿って、またはその一部にのみに沿って（例えばガーメントがユーザの身体に合うように曲がり適合するために結合領域に開口部を残して）互いに対して結合される場合もある。
【００２７】
ガーメント１０１は、ガーメント１０１の領域に配置された圧力付与領域（例えば図７〜図８に示されるように）を画定してよい、または含んでよい。圧力付与領域の各々は、身体の一部に圧力を加えるように制御可能または構成可能であってよい。例えば頭部ガーメント部分１２０は、頭部の１つまたは複数の部分（例えば額、頬、顎の下、後頭部に）に圧力を加えるように制御可能または構成可能である頭部圧力付与領域を含んでよく、首ガーメント部分１１０は、首の１つまたは複数の部分（例えば背面の首の領域、側面の首の領域など）に圧力を加えるように制御可能または構成可能である首圧力付与領域を含んでよく、胴体ガーメント部分１４０は、胴体の１つまたは複数の部分（例えば各脇の下の胴体の領域、前面の胴体、背面の胴体など）に圧力を加えるように制御可能または構成可能である胴体圧力付与領域を含んでよい。１つまたは複数の実施形態において、ガーメント１０１は、圧力付与領域を覆う外側材料を含んでよい。
【００２８】
頭部ガーメント部分１２０は、身体１０の頭部に着用されるように構成されてよい。換言すると、頭部ガーメント部分１２０は、身体１０の頭部に位置決めされ、そこに固定されてよい（例えば鼻を横切る留め具、額を横切る留め具、顎の下の留め具、頭部の頂部を覆う留め具などを利用して固定される）。例えばそのような取り付け具は、特定のガーメントを異なるサイズ及び形状の身体の部分と共に使用するために調節することを可能にすることができる。１つまたは複数の実施形態において、頭部ガーメント部分１２０は、後頭部から前頭部へと身体１０の頭部の両側を囲むように位置決めされるように構成されるように記載されてよい。
【００２９】
図７における頭部ガーメント部分１２０の平面図に示されるように、頭部ガーメント部分１２０は、後頭部ガーメント部分１２８と、右側の頭部ガーメント部分１３４と、左側の頭部ガーメント部分１３６とを含んでよい。後頭部ガーメント部分１２８は、身体１０の後頭部に近接して位置決め可能であってよい。右側の頭部ガーメント部分１３４は、後頭部ガーメント部分１２８から延び、後頭部から前頭部へと頭の右側に位置決め可能であってよい（例えばその周りに巻き付けられる）。左側の頭部ガーメント部分１３６は、後頭部ガーメント部分１２８から延び、後頭部から前頭部へと頭の左側に位置決め可能であってよい（例えばその周りに巻き付けられる）。後頭部ガーメント部分１２８、右側の頭部ガーメント部分１３４及び左側の頭部ガーメント部分１３６（またはそのような部分の各々）は、後頭部、頭の右側及び頭の左側にそれぞれ圧力を加えるように構成可能または制御可能な圧力付与領域（例えばそのような部分の各々に対応付けられた身体の領域に圧迫を適用するための１つまたは複数の頭部圧力付与領域、ガーメントの１つまたは複数の部分に対応する身体の１つまたは複数の領域に、またはその領域の方に圧迫を適用するための１つまたは複数の頭部圧力付与領域の各々）を含んでよい。
【００３０】
頭部ガーメント部分１２０はまた、右頬ガーメント部分１２２と、左頬ガーメント部分１２４とを含んでよい。右頬ガーメント部分１２２は、頭部の右頬に近接して位置決め可能であってよく、左頬ガーメント部分１２４は、頭部の左頬に近接して位置決め可能であってよい。右頬ガーメント部分１２２及び左頬ガーメント部分１２４の各々は、頬の一部に圧力を加えるように構成可能または制御可能であり得る圧力付与領域（例えば１つまたは複数の頬圧力付与領域）を含んでよい。頭部ガーメント部分１２０はまた、顎下ガーメント部分を画定する右側の顎下部分１２５と、左側の顎下部分１０９とを含んでよい。顎下ガーメント部分は、顎の下の一部(例えば「首のたるみ」領域）に圧力を加えるように構成可能であり得る圧力付与領域（例えば１つまたは複数の顎下圧力付与領域）を含んでよい。
【００３１】
頭部ガーメント部分１２０は、様々な異なる方法で身体の頭部に着用されてよい。例えば頭部ガーメント部分１２０の一部は、多様な様々な巻き付けられる部分もしくはストラップ、及び／または１つまたは複数の接続要素を利用して頭部ガーメント部分１２０の他の部分に装着されてよい。任意の好適な接続具が、頭部ガーメント部分１２０または本明細書に記載される任意の他のガーメント部分を着用するのに使用されてよく、例えば可撓性または剛性の接続要素、面ファスナー、ガーメントに接続されたストラップ、追加のまたは別個の接続ガーメント要素またはストラップ、嵌め合いフック、身体の一部（例えば鼻の鼻梁など）に対して形成されるように成形された要素などである。
【００３２】
このような巻き付けられる部分またはストラップ及び接続要素は、頭部ガーメント部分１２０の一部（例えば圧力付与領域に対応付けられた面）を身体の表面に近づけて保持するまたは維持することができることで、例えば流体が圧力付与領域のチャンバに提供される際に、頭部ガーメント部分１２０が身体の特定の部分（例えば頬、顎の下、額、こめかみ）に効果的に圧力を加えることができる。換言すると、巻き付けられる部分及び／または接続要素は、圧力付与領域を利用して圧力が加えられる際に（例えば流体が圧力付与領域のチャンバに提供される際など）、頭部ガーメント部分１２０が身体の一部の表面から離れて移動するのを阻止するのを助けることができ、その代わりに、例えば身体の一部の近くに留まらせることで圧力を効果的に身体のその部分に加えることができる。様々な巻き付けられる部分及び／または接続要素が、圧力が加えられる際、ガーメント部分を身体から離れて移動しないように維持することで、ガーメントの縁部の圧力付与領域でさえも（例えば圧力を均等に加えるための）、そのような縁部（例えば頭部の頬に近接するガーメントの縁部、頭部の顎の付近のガーメントの縁部、顎の下の付近のガーメントの縁部、頭部のこめかみの付近のガーメントの縁部など）に隣接する身体の領域に圧力を加える間、所定の場所に維持される。
【００３３】
例えば頭部ガーメント部分１２０は、右側の巻き付けられる顎下部分１２５、左側の巻き付けられる顎下部分１０９、及び巻き付けられる額ストラップ１３７を含む顎下ガーメントを含んでよく、これらの各々は、頭部ガーメント部分１２０を所定の場所または所定の位置に維持するための拘束具、ストラップまたは接続要素として作用することができる。右側の巻き付けられる顎下ガーメント部分１２５は、右頬ガーメント部分１２２と、左頬ガーメント部分１２４を接続するように構成された１つまたは複数の顎下接続要素を含んでよい。図７に示されるように、右側の巻き付けられる顎下部分１２５はさらに、両側の矢印によって指示されるように右側の巻き付けられる顎下部分１２５の長さを選択的に調節する、または変更するために締め付け具４２０を含む場合があり、これは図５及び図１３に関して本明細書でさらに説明される。
【００３４】
巻き付けられる額ストラップ１３７は、頭部の額に近接して位置決め可能であってよい。巻き付けられる額ストラップ１３７は、頭部ガーメント部分１２０を頭部に着用する際に使用するように構成され得る１つまたは複数の額接続要素を含んでよい。換言すると、１つまたは複数の額接続要素は、頭部ガーメント部分１２０を身体の頭部に位置決めする（例えば固定する）ために、頭部ガーメント部分１２０の一方の部分を頭部ガーメント部分１２０の別の部分に近づけるように引っ張ることができる。図１及び図７に示されるように、巻き付けられる額ストラップ１３７はさらに、両側の矢印によって指示されるように額ストラップ１３７の長さを選択的に調節する、または変更するために締め付け具４２０を含む場合があり、これは図５及び図１３に関して本明細書でさらに説明される。
【００３５】
頭部ガーメントの圧力付与領域が、頭部の所望される領域に隣接して適切に位置決めされ、圧力が動的にまたは静的に加えられる際、位置決めされたまま維持されるように、頭部ガーメントの異なる部分を接続するのに任意の数の巻き付けられる部分及び／または接続要素が使用される場合があることが認識されるであろう。さらに、１つまたは複数の巻き付けられる部分は、互いと及び／またはガーメントの残りの部分と一体式である、または別個である場合があることも認識されるであろう。
【００３６】
首ガーメント部分１１０は、身体１０の首に着用されるように構成されてよい。１つまたは複数の実施形態において、首ガーメント部分１１０は、首の後部から首の前面まで首の両側を囲むように位置決めされるように構成されるように記載されてよい。
胴体ガーメント部分１４０は、身体１０の胴体の背面から胴体の前面まで胴体の両側を囲むように位置決めされるように構成されるように記載されてよい。胴体ガーメント部分１４０は、胴体の１つまたは複数の部分に圧力を加えるように構成可能または制御可能な圧力付与領域（例えば１つまたは複数の胴体圧力付与領域）を含んでよい。１つまたは複数の実施形態において、胴体ガーメント部分１４０は、首ガーメント部分１１０及び／または頭部ガーメント部分１２０に結合されてよい。さらに１つまたは複数の実施形態において、首ガーメント部分１１０は、頭部ガーメント部分１２０の少なくとも一部と、胴体ガーメント部分１４０の少なくとも一部の間で結合されてよい。さらに他の実施形態において、胴体ガーメント部分１４０は、頭部ガーメント部分１２０にも、首ガーメント部分１１０にも結合されない場合もある。
【００３７】
胴体ガーメント部分１４０は、背面胴体ガーメント部分１５０、右側の胴体ガーメント部分１５１及び左側の胴体ガーメント部分１５２を含んでよい。背面胴体ガーメント部分１５０は、身体の胴体の背面に近接して位置決め可能であってよく、右側の胴体ガーメント部分１５１は、背面胴体ガーメント部分１５０から延び、胴体の前面に位置決め可能であってよく、左側の胴体ガーメント部分１５２は、背面胴体ガーメント部分１５０から延び、胴体の前面に位置決め可能であってよい。１つまたは複数の実施形態において、右側の胴体ガーメント部分１５１は、右腕がガーメント１０１から外向きに延出するように身体の右腕に近接して右腕開口部１５３を画定する場合があり、左側の胴体ガーメント部分１５２は、左腕がガーメント１０１から外向きに延出するように身体の左腕に近接して左腕開口部１５４を画定する場合がある。
【００３８】
右側の胴体ガーメント部分１５１と、左側の胴体ガーメント部分１５２が、胴体ガーメント部分１４０を身体の胴体に着用した後、互いに結合されることで、胴体ガーメント部分１４０を胴体に装着（例えば固定）することができる。右側の胴体ガーメント部分１５１は、任意の好適なやり方で左側の胴体ガーメント部分１５２に結合されてよい。例えば右側胴体ガーメント部分１５１及び／または左側の胴体ガーメント部分１５２は、例えば右側の胴体ガーメント部分１５１の特定の領域を左側の胴体ガーメント部分１５２の一部に留める、または結合させるために取り付け具を含んでよい。右側の胴体ガーメント部分１５１は、示されるようにジッパー１５８を用いて左側の胴体ガーメント部分１５２に結合されるが、取り付け具は、面ファスナー式留め具、引き締めひも、ボタンなどの任意の留め具が使用される場合がある。
【００３９】
これに加えて、胴体ガーメント部分１４０はさらに、左側の巻き付けられる部分１０７と、右側の巻き付けられる部分１０８とを含んでよく、これらは、胴体ガーメント部分１４０を身体１０の胴体の周りになおいっそう結合させる、または固定するように構成されてよい。より具体的には、左側の巻き付けられる部分１０７及び右側の巻き付けられる部分１０８は、胴体ガーメント部分１４０を身体１０の胴体の周りに着用する、または巻き付け、「締め付ける」ように構成され得ることが記載されてよく、このことは図９〜図１１に関して本明細書でさらに説明されてよい。左側の巻き付けられる部分１０７及び右側の巻き付けられる部分１０８の各々はさらに、胴体ガーメント部分１４０を身体１０の胴体の周りでなおいっそう締め付けたり、または緩めたりするのに使用され得る締め付け具４２０を含む場合があり、このことは図５及び図１３に関して本明細書でさらに説明されてよい。締め付け具４２０は、両側の矢印によって指示されるように巻き付けられる部分１０７、１０８の長さを選択的に調節する、または変更するために使用されてよく、このことは図５及び図１３に関して本明細書でさらに説明される。
【００４０】
図１に示されるように、圧迫ガーメントシステム１００はまた、ガーメント１０１の圧力付与領域の各々によって身体の一部に加えられる圧力を制御するように構成されたコントローラ１０２または制御装置を含んでよい。例えばコントローラ１０２は、互いから独立してまたは同時に、圧力付与領域の各々によって身体の一部に加えられる圧力を制御することができる。さらに例えば、圧力付与領域は、集団で、または組み合わせて制御される場合もある。１つまたは複数の実施形態において、コントローラ１０２は、例えばリンパ浮腫の治療を行うのに適した多様な種類の異なるシーケンスで（例えば所定のやり方で圧力を加える）圧力付与領域を制御するように構成されてよい。
【００４１】
図１に示されるように、圧迫ガーメントシステム１００は、圧迫ガーメント１０１が１つまたは複数の流体で満たされたチャンバを含む場合、圧迫治療を適用するために、圧力付与領域の各々の１つまたは複数のチャンバ（例えば図１４に示されるような１つまたは複数のチャンバ８０６）に流体を提供するため／例えばチャンバ内の液体またはガスなどの流体をそこから取り除くためにコントローラ１０２によって制御され得るポンプ１０３を含んでよい。例えばポンプ１０３は、複数のラインまたは配管１０５によって複数の圧力付与領域に対応する複数のチャンバのうちの１つまたは複数に接続されることで、そこに流体の流れを提供する、またはそこから流体を取り除くことができる。
【００４２】
さらに、１つまたは複数の実施形態において、図１に示されるように、コントローラ１０２は、点線１０４によって全体が描かれるように１つまたは複数の電線を介して及び／または無線により圧迫ガーメントシステムの１つまたは複数の構成要素に接続されてよい。例えばコントローラ１０２は、物理的な電気接続を利用して及び／または無線により、圧力付与領域（例えば身体に圧力を加えるように構成されたガーメントの電気により作動可能な圧力付与領域）と通信しこれを制御するために接続されてよい。
【００４３】
コントローラ１０２の制御の下にあるガーメント１０１の制御可能な圧力付与領域は、システム１００が、ガーメント１０１を着用している個人（例えば患者）に圧迫治療を提供することで、リンパが、例えば図２から図４に示される方向４０などの所望される方向に身体１０の中をくまなく流れることを可能にする。換言すると、圧力付与領域を多様な異なるシーケンスで制御する（例えば所定のやり方で圧力を加える）ことによって、例えばリンパ液は概ね身体１０の頭部１４から身体１０の首１１に向かって流れることができる。例えばリンパ液は、頭部１４の前面３０から頭部１４の後部３２に向かって、及び首１１に向かって下方に流れるように制御されてよい。具体的には、例えばリンパ液は、額１５から、鼻梁１９、及び顎の下１８から、右頬１７に向かって、首１１（例えば首の右側１２）及び胴体２０の背面２５に向かって下方に流れることができる。このようなリンパ液の方向４０は、余剰のリンパ液を頭部１４から移動させ、最終的にはそのようなリンパ液を胴体２０（例えば体幹、肩、胸、背中、ウエストなど）に向かって移動させることによって個人の苦痛を軽減することができる。
【００４４】
身体１０の頭部１４及び首１１に位置する種々のリンパ節が図３に示されている。例えば、おとがい下のリンパ節５２は頭部１４の顎の下１８に位置しており、耳下腺リンパ節５０は右頬１７と左頬１６に近接して位置している（左頬１６の耳下腺リンパ節は図３には示されない）。リンパ液の蓄積は、耳下腺リンパ節５０及びおとがい下のリンパ節５２の近くで生じる可能性があり、身体１０に着用された圧迫ガーメントによって圧迫治療中に、方向矢印４０によって図示されるように（例えば少なくとも頬及び顎の下に近接する圧力付与領域を所定のやり方で制御することによって）頭部１４の後部３２に向かって押しやることができる。圧迫治療を続けることによって（例えば少なくとも頭部の両側及び後頭部に近接する圧力付与領域を制御することによって）、リンパ液はその後、首１１に近接して位置する顎下腺リンパ節５４ならびに浅頚動脈リンパ節及び深頚動脈リンパ節５６に向かって移動する。圧迫治療はその後、例えば少なくとも首に近接する圧力付与領域を所定のやり方で制御することによって）リンパ液を右の鎖骨下及び鎖骨上リンパ節５８と、左の鎖骨下及び鎖骨上リンパ節６０（これらは首１１の根元に、右肩２４と左肩２３にそれぞれ近接して位置する）に向かって、及び胴体２０に向かって下方に移動させるように構成される。
【００４５】
頭部１４の後部３２及び胴体２０に位置する種々のリンパ節が図４に示される。圧迫ガーメントを利用する圧迫治療において（例えば頭部ガーメント１２０及び首ガーメント１１０の圧力付与領域を所定のやり方で制御することによる）、リンパ液は、身体１０の後部３２に沿って頭部１４から胴体２０に向かって下方に進むことができる。例えばリンパ液は、頭１４の頂部から、首１１の右側１２に近接して位置する右の耳介後方リンパ節６６及び右の後頭部のリンパ節７０に向かって、ならびに首１１の左側１３に近接して位置する左の耳介後方リンパ節６８及び左の後頭部のリンパ節７２に向かって進むことができる。圧迫治療（例えばガーメント１０１の圧力付与領域を所定のやり方で制御することによる）はその後、リンパ液を頭部１４からさらに下方に移動させ、右肩２３及び左肩２４を過ぎて、胴体２０に向かって移動させる。具体的にはリンパ液は、右の脇の下の領域２１に近接して位置する右の腋窩部リンパ節６２及び左の脇の下の領域２２に近接して位置する左の腋窩部リンパ節６４に向かって移動することができる。
【００４６】
図１の胴体ガーメント部分１４０、首ガーメント部分１１０及び頭部ガーメント部分１２０は、本明細書に記載される一例のミットと、締め付け具とを使用する、または含むことができる圧迫ガーメントまたはガーメント部分のいくつかの例である。本明細書に記載される一例のミット及び締め付け具は、図５に示される一例の圧迫ガーメント２００の線図に関して本明細書に記載される種々の圧迫ガーメント及び／またはガーメント部分のうちの１つまたは複数あるいはその複数と共に使用される場合があることを理解されたい。一例のガーメント２００は、巻き付けられる部分２１０と、１つまたは複数の追加のガーメント部分２０８（点線のボックスによって図式的に表される）とを含んでよい。この実施形態では、ガーメント２００は、ユーザの１つまたは複数の身体の一部（例えば胴体、下部胴体の一部、上部胴体の一部、臀部、骨盤の一部、脚、体幹、腕、頭部、首など）を囲むように、またはその周りに延在し得る単一の部分を含むように記載されてよく、この部分は、巻き付けられる部分２１０である。単一の巻き付けられる部分２１０が図５に描かれているが、本明細書に記載される一例の実施形態は、例えばユーザの１つまたは複数の身体の一部を囲むように、またはその周りに各々延在する複数の巻き付けられる部分などの２つ以上の巻き付けられる部分を含む場合もあることを理解されたい。１つまたは複数の追加のガーメント部分２０８は、両側の点線の矢印によって指示されるように巻き付けられる部分２１０に結合されてよい。１つまたは複数の追加のガーメント部分２０８は、ユーザの腕の周りに配置されるように構成された腕部分と、ユーザの上部胴体の周りに配置されるように構成された上部胴体部分と、ユーザの下部胴体の周りに配置されるように構成された下部胴体部分と、ユーザの脚の周りに配置されるように構成された脚部分と、ユーザの頭部の周りに配置されるように構成された頭部部分とを含んでよい。
【００４７】
巻き付けられる部分２１０は、近位端領域２１２から遠位端領域２１４まで延在してよい。巻き付けられる部分２１０は、近位端領域２１２から延び、遠位端領域２１４で終端するように記載されてよい。換言すると、巻き付けられる部分２１０は、遠位端領域２１４を超えて、すなわちこれを過ぎて延在することはない。近位端領域２１２は、例えば種々の胴体ガーメント部分などの１つまたは複数の追加のガーメント部分２０８に結合されるように構成されてよい。１つまたは複数の実施形態において、近位端領域２１２は、例えば縫合、溶接、接着剤などを介して１つまたは複数の追加のガーメント部分２０８に固定式に結合される場合もある。１つまたは複数の実施形態において、近位端領域２１２は、例えば面ファスナー式の留め具などを介して１つまたは複数の追加のガーメント部分２０８に固定式に結合される場合もある。１つまたは複数の実施形態において、巻き付けられる部分２１０またはその領域もしくはその一部は、１つまたは複数の追加のガーメント部分２０８と一体式である場合もある。
【００４８】
例えば胴体ガーメント１４０の右側の巻き付けられる部分１０８は、図１及び図８に示されるように近位端領域１１８から遠位端領域１１９まで延在してよい。近位端領域１１８は、背面胴体ガーメント部分１５０、右側の胴体ガーメント部分１５１及び左側の胴体ガーメント部分１５２などの胴体ガーメント１４０の他の部分または領域に結合されてよい。示されるように右側の巻き付けられる部分１０８の近位端領域１１８は、胴体ガーメント１４０の他の部分または領域と一体式である、またはそこから生じるように記載されてよい。さらに右側の巻き付けられる部分１０８は、胴体ガーメント１４０の他の部分または領域から延び、遠位端領域１１９において終端しており、この遠位端領域は本明細書にさらに説明されるようにミットを含んでいる。
【００４９】
巻き付けられる部分２１０は、例えば一例のガーメント２００をユーザの身体に対して、またはその周りに固定するまたは結合するために、ユーザの１つまたは複数の身体の一部またはその一部分を囲むように、またはその周りに巻き付けられるように構成されるように概ね記載されてよい。さらに、巻き付けられる部分２１０は、ガーメント２００の巻き付けられる部分２１０を含む少なくとも一部分が１つまたは複数の身体の一部を少なくとも部分的に囲むように延在するように、１つまたは複数の身体の一部を囲む円または一周を完成させるように構成されるように記載される場合もある。いくつかの実施形態において、巻き付けられる部分２１０は、ガーメント２００の巻き付けられる部分２１０を含む少なくとも一部分が１つまたは複数の身体の一部を少なくとも部分的に囲むように延在するように、他のガーメント部分２０８と協働して作用して１つまたは複数の身体の一部を囲むような円または一周を完成する場合もある。さらに、巻き付けられる部分２１０は、ガーメント２００の１つまたは複数の部分をユーザの１つまたは複数の身体の一部の周りに締め付ける、または残りのガーメント部分をユーザの身体の周りに位置決めするように構成される場合もある。
【００５０】
巻き付けられる部分２１０は、図５に示されるように１つまたは複数の圧力付与領域２１１を含んでよく、これは図１に関して本明細書に記載されるようにコントローラ１０２及びポンプ１０３によって制御されてよい。他の実施形態において、巻き付けられる部分２１０は、圧力付与領域を含まない場合もあり、代わりに単に１つまたは複数の追加のガーメント部分２０８を固定する機能性を提供するだけの場合もあり、この機能性に１つまたは複数の圧力付与領域が含まれてよい。
【００５１】
巻き付けられる部分２１０は、遠位端領域２１４に、またはそれに近接してミット２２０を含んでよい。ミット２２０は、図１０〜図１１に関して本明細書にさらに記載されるように、ユーザがガーメント２００を着用するのを補助するために、ユーザの手を収容するように構成された、またはそのように設計されたミット開口部２２１を画定する、または含んでよい。１つまたは複数の実施形態において、ミット開口部２２１は、３つの閉鎖された面と、１つの開放した面とによって画定されてよい。換言すると、ミット２２０はポケットを形成することができ、これがミット開口部２２１と呼ばれる場合がある。さらに、図面に示される１つまたは複数の実施形態では、ミット開口部２２１の閉鎖された面は、巻き付けられる部分２１０の遠位端領域２１４を終端させることができる。図面に描かれる実施形態では、ミット２２０第１の部分は、巻き付けられる部分２１０の遠位端領域２１４の一部であってよく、ミット２２０の第２の部分が、巻き付けられる部分１１０の遠位端領域２１４に装着される、または結合される（例えば縫合される、接着されるなど）ことでミット２２０及びミット開口部２２１を形成する、または設けることができる（例えば３つの面が接着されて１つの開放面を形成する）。ミット２２０及びミット開口部２２１、すなわちポケットは、任意の様式で形成され得ることを理解されたい。例えばミット２２０及びこれによりミット開口部２２１は、巻き付けられる部分２１０の一部をそれ自体の上に折り返し、頂縁部と底縁部を結合することによってポケット（これはミット開口部２２１である）を形成することによって作り出される、または形成されてよい。
【００５２】
ミット２２０、ならびにミット開口部２２１は、ミット開口部２２１がユーザの手の指または指の一部よりも多くの部分を収容するように構成されるようにサイズが決められ、そのように構築されてよい。換言すると、ミット開口部２２１は、典型的な人であるユーザの手または少なくともユーザの手の大部分を収容するために、典型的な人であるユーザの指より大きいポケットを画定することができる。さらにミット開口部２２１は、図６に示されるようにユーザの中手指節関節（例えば指趾節骨と中手骨の間の関節）の観点で説明される場合もある。例えばミット開口部２２１は、矢印９によって指示されるように中手指節関節のライン７を超えて人差し指、中指、薬指、小指、及びユーザの手５の少なくとも一部、または少なくとも一部の領域を収容する、または保持するようなサイズに構成されてよい。さらにミット２２０は、ミット開口部２２１が、ミット２２０がミット開口部２２１の中に収容するように構成される手の方に向く方向に開放するように構成されてよい。例えば、図１１に示され、図１１に関して説明される右側の巻き付けられる部分１０８のミット２２０のミット開口部２２１は、胴体ガーメント１４０をユーザの胴体の周りに、または胴体を囲むように結合させる、または固定する際、ユーザの右手を収容するために、胴体ガーメント１４０が着用される際、ユーザの身体の右側に向かって開放してよい。反対に、例えば図１０に示され、図１０に関して説明される左側の巻き付けられる部分１０７のミット２２０のミット開口部２２１は、胴体ガーメント１４０をユーザの胴体の周りに、または胴体を囲むように結合させる、または固定する際、ユーザの左手を収容するために、胴体ガーメント１４０が着用される際、ユーザの身体の左側に向かって開放してよい。
【００５３】
ミット２２０及びミット開口部２２１のサイズ及び構成は、いくつかの数の利点を提供することができる。例えばミット開口部２２１のサイズは、ミット２２０及びこれによりミット開口部２２１が、着用する際、ユーザの背中の後方、または背部に配置されることで、例えばユーザがミット２２０を見ることができない、及び／またはミットに届くことができない、あるいはそうするのが難しいような場合に、ユーザの手をミット開口部２２１の中に置く、または入れるのにユーザを補助することができる。さらに、例えばミット開口部２２１のサイズは、ユーザの手を収容するための大きな目標を提供することができる。さらに例えばミット開口部２２１のサイズはまた、単に自分の指または指先だけの場合とは対照的に、ユーザが自分の腕を使ってミット２２０を移動させることを可能し、及びこれにより巻き付けられる部分２１０も移動させることができる。さらに例えば、ミット２２０及びミット開口部２２１のサイズ及び構成は、腕がより短い、または腕がより長いユーザを含めた様々なサイズのユーザが、本明細書に記載される一例の圧迫ガーメントを着用する際、ミット開口部２２１に到達することも可能にすることができる。
【００５４】
ガーメント２００はさらに、巻き付けられる部分２１０及び／または他のガーメント部分２０８をユーザの１つまたは複数の身体の一部の周りにまたはそれを囲むように選択的に締め付けるために、巻き付けられる部分２１０に結合された締め付け具４２０を含んでよい。より具体的には、巻き付けられる部分２１０は、図５に名前を付けて表示されるように、近位端領域２１２から遠位端領域２１４までの長さ２２９を画定することができ、巻き付けられる部分２１０の長さ２２９は、締め付け具４２０を利用して調節されてよい。
【００５５】
さらに巻き付けられる部分２１０の選択的な長さ２２９は、一部分の観点で説明される場合もある。例えば巻き付けられる部分２１０は、遠位端領域２１４に近接する第１の部分４４２と、近位端領域２１２に近接する第２の部分４４４とを含んでよい。第１の部分４４２は、締め付け具４２０を介して第２の部分４４４に結合されてよい。締め付け具４２０は、選択的に第１の部分４４２を第２の部分４４４により近づけるようにすることができ、選択的に第１の部分４４２を第２の部分４４４からさらに離れるように移動させることを可能にすることができる。換言すると、巻き付けられる部分２１０の長さ２３９を調節するために、第１の部分４４２は、第２の部分４４４に対して移動されてよく、このことは、ガーメント２００をユーザの１つまたは複数の身体の一部の周りに選択的に締め付けたり、緩めたりすることができる。
【００５６】
締め付け具４２０は、近位端領域２１２と遠位端領域２１４の間に１本または複数本のレース４３０を含んでよい。１本または複数本のレース４３０は、第１の部分４４２と第２の部分４４４の間を往復するように延在するように記載されてよい。１つまたは複数の実施形態において、例えばレース４３０がユーザの皮膚に接触しないように、追加の材料が、レース４３０とユーザの皮膚の間に配置される場合があり、この材料は、レース４３０とユーザの皮膚の間に「緩衝材」などを提供することができる。締め付け具４２０はさらに、近位端領域２１２と遠位端領域２１４の間に延在する１本または複数本のレース４３０に張力を加えることで、そのようなレースを短くする、または長くすることを可能にするためにユーザによって使用され得る締め付けデバイス４２５を含んでよい。１つまたは複数の実施形態において、締め付けデバイス４２５は、少なくとも１本のレース４３０の一部分をその周りに巻き付けるまたは保管するために特定の軸を中心に回転可能であるスプール部分を含んでよい。１本または複数本のレース４３０は、スプールの周りに巻き付けられて、近位端領域２１２と遠位端領域２１４の間に延在するレース４３０の分量を少なくする、すなわち短くすることができ、巻き付けられたものがほどかれる、すなわち広げられることで近位端領域２１２と遠位端領域２１４の間に延在するレース４３０の分量を増やす（例えばレース４３０を長くする）ことを可能にすることができる。締め付け具４２０は、図１３Ａ〜図１３Ｂに関して本明細書でさらに説明される。
【００５７】
１つまたは複数の頭部圧力付与領域１２１を含む一例の頭部ガーメント部分１２０の平面図が図７に示されている。１つまたは複数の頭部圧力付与領域１２１は、頭部ガーメント部分１２０が頭部に位置決めされる際、頭部の一部に圧力を加えるように制御可能（例えば図１に示されるようにコントローラ１０２を利用して）であってよい。さらに１つまたは複数の頭部圧力付与領域１２１は、頭部の様々な異なる場所に圧力を加えるために、頭部ガーメント部分１２０内の様々な場所に配置されてよい。例えば本明細書に記載されるように、頭部ガーメント部分１２０は、頭部の右側に近接して位置決め可能な右側の頭部ガーメント部分１３４と、頭部の左側に近接して位置決め可能な左側の頭部ガーメント部分１３６とを含んでよい。右側の頭部ガーメント部分１３４及び左側の頭部ガーメント部分１３６に対応付けられた１つまたは複数の頭部圧力付与領域１２１は、頭の右側と、左側にそれぞれ圧力を加えるように制御可能であってよい。
【００５８】
１つまたは複数の実施形態において、１つまたは複数の頭部圧力付与領域１２１は、例えば流体流れ、空気流など、そこに提供される流体の制御を通して１つまたは複数のチャンバを利用して頭部の一部に圧力を加えるように構成されてよい。例えば頭部ガーメント部分１２０は、これを通って流体が１つまたは複数のチャンバに提供され得る（例えばセンサフィードバックシステムを用いるコントローラ１０２の制御の下で、図１に示されるポンプ１０３を用いるなどして）１つまたは複数の頭部ガーメントポート１３９（その一部が図７で名前を付けて表示されている）を含んでよい。
【００５９】
任意の数の圧力付与領域１２１が、例えば図２〜図４を参照して記載されるようにリンパ液を移動させるようにそれらを制御することができるように頭部ガーメント部分１２０の中に構成されてよい。例えば図７に示されるように、４つの頭部圧力付与領域１２１が実装されている。しかしながら任意の数の頭部圧力付与領域１２１が実装されてよく、例えば、２つの頭部圧力付与領域１２１、３つの頭部圧力付与領域１２１、５つの頭部圧力付与領域１２１、６つの頭部圧力付与領域１２１などが使用される場合がある。
【００６０】
１つまたは複数の胴体圧力付与領域１４１を含む一例の胴体ガーメント部分１４０の平面図が図８に示されている。示されるように胴体ガーメント部分１４０は８つの胴体圧力付与領域１４１を含んでよいが、任意の数の胴体圧力付与領域１４１が実装される、または利用されてよい。１つまたは複数の胴体圧力付与領域１４１は、胴体ガーメント部分１４０が胴体に位置決めされる際、胴体の１つまたは複数の部分に圧力を加えるように制御されるように（例えば図１に示されるコントローラ１０２を利用して）構成されてよい。
【００６１】
１つまたは複数の実施形態において、１つまたは複数の胴体圧力付与領域１４１の各々は、所望されるようにリンパ液を移動させるために、領域１４１を胴体の一部に圧力を加えるように制御することができるような任意の好適なやり方で構成されてよい。例えば１つまたは複数の胴体圧力付与領域１４１は、流体チャンバまたは小室、空気圧付与領域、領域に圧力を加える作動可能要素、油圧付与領域などを含んでよい。具体的には、１つまたは複数の胴体圧力付与領域１４１は、流体（例えば空気）を収容するように構成された１つまたは複数のチャンバを含んでよい。
【００６２】
例えば１つまたは複数の実施形態において、１つまたは複数の胴体圧力付与領域１４１は、そこに提供される流体（例えば液体流れ、空気流など）の制御を通して１つまたは複数のチャンバを利用して胴体の一部に圧力を加えるように構成されてよい。例えば胴体ガーメント部分１４０は、そこを通って流体が１つまたは複数のチャンバに提供され得る（例えばセンサフィードバックシステムを用いるコントローラ１０２の制御の下で図１に示されるポンプ１０３を用いて）１つまたは複数の胴体ガーメントポート１５９（そのうちの一部が図８で名前を付けて表示されている）を含んでよい。
【００６３】
１つまたは複数の実施形態において（例えば図１及び図１０〜図１２に示されるように）、右側の巻き付けられる部分１０８は、右側の下部の前面胴体ガーメント部分１４４に重なるように構成され、左側の巻き付けられる部分１０７は、左側の下部の前面胴体ガーメント部分１４８に重なるように構成され得ることで、図９〜図１２に関して本明細書にさらに記載されるように、例えば右側の胸ガーメント部分１４２が左側の胸ガーメント部分１４３に結合された後、例えば胴体ガーメント部分１４０を身体の１０の周りによりしっかりと着用する及び／または締め付ける、あるいは固定することができる。さらに１つまたは複数の実施形態において、及び／または胴体ガーメントのサイズに対する身体のサイズに応じて、右側の巻き付けられる部分１０８は、胴体の正中線に重なり、かつ左側の下部の前面胴体ガーメント部分１４８の上に重なるように構成される場合があり、また同様に左側の巻き付けられる部分１０７も、胴体の正中線に重なり、かつ右側の下部の前面胴体ガーメント部分１４４の上にも重なるように構成される場合がある。胴体ガーメント部分１４０はさらに、胴体ガーメント部分１４０を着用する前に、身体１０の胴体の外周またはバストを囲むように適切にフィットさせるために胴体ガーメント部分１４０を調節するように構成された右側の背面調節部分１９０と、左側の背面調節部分１９２とを含んでよい。右側の背面調節部分１９０は、図８に示されるように右側の下部の前面胴体ガーメント部分１４４から延びてよく、左側の背面調節部分１９２は、左側の下部の前面胴体ガーメント部分１４８から延びてよい。右側の背面調節部分１９０は、身体１０の胴体の右側の背面の周りに巻き付けられるように構成され、かつ左側の背面調節部分１９２に取り外し可能に結合されてよく、この左側の背面調節部分は身体の胴体の左側の背面の周りに巻き付けられるように構成されている。右側の背面調節部分１９０と、左側の背面調節部分１９２の結合は、胴体ガーメント部分１４０が周りに適合し得る胴体を囲むサイズを規定することができる（例えば身体１０の胴体を囲む胴体ガーメント部分１４０の快適さまたはきつさを規定するために）。右側の背面調節部分１９０と、左側の背面調節部分１９２の結合を促進するまたは実現するために、右側の背面調節部分１９０と、左側の背面調節部分１９２の各々は、互いに対して結合されるように構成された面ファスナー式の留め具を含んでよい。さらに胴体ガーメント部分１４０が調節される際、右側の背面調節部分１９０を左側の背面調節部分１９２に結合させて胴体ガーメント部分１４０のサイズを変えることができる。例えば、より小さな、よりぴったりとしたフィット性を求めて結合する場合、右側の背面調節部分１９０を左側の背面調節部分１９２により近づけるように引っ張ることができ、より大きな、より緩いフィット性を求めて結合する場合は、右側の背面調節部分１９０は、左側の背面調節部分１９２からさらに離れるように位置決めされてよい。
【００６４】
加えて、右側の背面調節部分１９０及び左側の背面調節部分１９２は、着用される際、背面胴体ガーメント部分１５０の「内側」に位置決めされるように構成されてよい。１つまたは複数の実施形態において、背面胴体ガーメント部分１５０は、背面胴体ガーメント部分１５０を身体１０の胴体の背面に近接して位置決めして固定するために、例えば面ファスナー式の留め具を介して右側の背面調節部分１９０及び左側の背面調節部分１９２に取り外し可能に結合される場合もある。一般に、右側の背面調節部分１９０及び左側の背面調節部分１９２は、そこに背面胴体ガーメント部分１５０を結合する前に調節され結合されてよく、これは例えば背面胴体ガーメント部分１５０と、右側の背面調節部分１９０及び左側の背面調節部分１９２との結合が、左側の背面調節部分１９２に対する右側の背面調節部分１９０の調節を制限する、または限定する場合があるためである。換言すると、背面胴体ガーメント部分１５０と、右側の背面調節部分１９０及び左側の背面調節部分１９２とを結合することは、例えば右側の背面調節部分１９０と、左側の背面調節部分１９２の間の接続を維持するために、右側の背面調節部分１９０と、左側の背面調節部分１９２をよりいっそう固定する、または結合することができる。
【００６５】
胴体ガーメント部分１４０の着用プロセスの少なくとも一部が図９〜図１１に描かれている。例えば胴体ガーメント部分１４０は、図９に示されるように身体１０の胴体の上に位置決めされてよい。より具体的には、身体１０の首が首の穴を通るように位置決めされ、身体１０の腕が右腕開口部１５３及び左腕開口部１５４を通るように位置決めされることで、胴体の背面、すなわち背中は、背面胴体ガーメント部分１５０ならびに右側の背面調節部分１９０及び左側の背面調節部分１９２に近接する、または隣接する。右側の胸ガーメント部分１４２は、例えばジッパー１５８を利用して左側の胸ガーメント部分１４３に結合されてよい。
【００６６】
次に胴体ガーメント部分１４０を身体１０の胴体の周りによりいっそう固定する、または締め付けるために、ユーザは、図１０に示されるように左側の巻き付けられる部分１０７の左側のミット開口部２２１などのミット開口部の中に手を入れ、その後、取り付け具または取り付け構造体、例えば面ファスナー式の留め具などを利用して左側の下部の前面ガーメント部分１４８に結合させるために、左側の巻き付けられる部分１０７を左側の下部の前面ガーメント部分１４８を覆うように胴体の左側の前面を囲むように移動させることができる。左側の巻き付けられる部分１０７の移動及び結合作業が、胴体ガーメント部分１４０を胴体の周りに締め付けることで、例えばぴったりしたフィットを実現することができる。同様にユーザは、図１１に示されるように右側の巻き付けられる部分１０８の右側のミット開口部２２１などのミット開口部の中に手を入れ、その後、取り付け具または取り付け構造体、例えば面ファスナー式の留め具などを利用して右側の下部の前面ガーメント部分１４４に結合させるために、右側の巻き付けられる部分１０８を右側の下部の前面ガーメント部分１４４を覆うように胴体の右側の前面を囲むように移動させることができる。右側の巻き付けられる部分１０８の移動及び結合作業が、胴体ガーメント部分１４０を胴体の周りに締め付けることで、例えばぴったりしたフィットを実現することができる。１つまたは複数の実施形態において、ミット開口部２２１の各々は、巻き付けられる部分１０７、１０８が、人であるユーザにとって掴むのに不自然な位置に位置決めされた場合に（例えばユーザの背中の後方または一部がユーザの背中の後方である、ユーザのウエストラインより下に垂れているなど）人の手を収容するための大きな開口部を提供するために、人の手の全てではないがその大部分がミット開口部２２１の中に適合することができるようにサイズが決められる、またはそのようなサイズを規定することができる。さらにミット開口部２２１は、それぞれの巻き付けられる部分１０７、１０８の端部領域に近接して位置決めされるミット器具またはミットの一部であるように記載される場合もある。さらに、ミット器具またはミットは、巻き付けられる部分１０７、１０８の端部領域、すなわち遠位端領域を終端させることができるように記載される場合もある。換言すると、巻き付けられる部分１０７、１０８の遠位端領域は、ミットまたはミット器具を含んでよく、これがミット開口部２２１を画定する。加えて図８に描かれるように、巻き付けられる部分１０７、１０８の面ファスナー式の留め具の表面は、例えば巻き付けられる部分１０７、１０８を装着する、及び胴体ガーメント部分１４０の残りの部分から切り離す際、面ファスナー式の留め具の表面が"テント状になる状況"に耐えるように「スポット溶接部」または「ボタン溶接部」１９９を含む場合もある。
【００６７】
右側の巻き付けられる部分１０８が、図１２に示されるように右側の下部の前面ガーメント部分１４４に結合された後、胴体ガーメント部分１４０は、締め付け具４２０（例えばレーシングシステム）を利用してよりいっそう締め付けられてよい。例えば示されるように、締め付け具４２０は、締め付け具４２０が、巻き付けられる部分１０７、１０８の長さを伸ばしたり、短くしたりすることができるように、巻き付けられる部分１０７、１０８の各々の一部であってよい。さらに締め付け具４２０は、胴体ガーメント部分１４０を身体の胴体に位置決めする（例えば締め付ける）際によりいっそう補助するように構成され得ることも概して記載されてよい。例えば右側の巻き付けられる部分１０７及び左側の巻き付けられる部分１０８の遠位端領域が、締め付け具４２０を利用してその近位端領域に対して移動され得ることで、両側の矢印（図１２における）によって指示されるように右側の巻き付けられる部分１０７及び左側の巻き付けられる部分１０８の長さを選択的に調節する、または変えることができ、このことは図１３に関して本明細書でさらに説明される。
【００６８】
全体的に、図１３Ａ〜図１３Ｂに示されるように一例の締め付け具４２０は、例えば胴体ガーメント部分１４０を身体の胴体の周りに締め付けるなど、１つまたは複数のガーメント部分を１つまたは複数の身体の一部の周りに締め付けるのを助けるために、巻き付けられる部分の第１の部分４４２を巻き付けられる部分の第２の部分４４４に対して移動させるように構成される、またはそのように作動可能であってよい。締め付け具４２０は、第１の部分４４２と第２の部分４４４の間に位置決めされる（例えば通される）１本または複数本のレース４３０を含んでよい。１つまたは複数の実施形態において、１本または複数本のレース４３０は、ガイド部材または鳩目４３１（その一部が、図１３Ａ〜図１３Ｂに名前を付けて表示されている）を利用して第１の部分４４２と第２の部分４４４の間に誘導される場合もある。
【００６９】
締め付け具４２０はまた、１本または複数本のレース４３０に結合され、例えば胴体ガーメント部分１４０を身体１０の胴体の周りに締め付けるために、１本または複数本のレース４３０に、またはレースに向けて張力を加えることで、巻き付けられる部分の第１の部分４４２と第２の部分４４４の間の距離を短くしたり、長くしたりするように構成され得る締め付けデバイス４２５を含んでよい。１つまたは複数の実施形態において、締め付けデバイス４２５は、第１の部分４４２と第２の部分４４４の間の距離を長くするために一方向に回転されてよく、第１の部分４４２と第２の部分４４４の間の距離を短くするために反対方向に回転されてよい。１つまたは複数の実施形態において、締め付けデバイス４２５は、第１の部分４４２と第２の部分４４４の間の距離を短くするために一方向に回転されてよく、反対方向の回転は制限される場合がある。例えば締め付けデバイス４２５が、締め付けデバイス４２５が回転することができないロック位置（例えば締め付けデバイス４２５の拡大図に示されるように）を規定する、またはロック位置になるように構成される場合がある。
【００７０】
締め付け具４２０は、１本または複数本のレース４３０の作用する長さに関してさらに説明されてよい。作用する長さは、第１の部分４４４及び第２の部分４４２の各々に配置された、またはそこに結合された複数のガイド部材４３１の間を往復するように延在する１本または複数本のレースの長さとして規定されてよい。１本または複数本のレース４３０の作用する長さは、締め付けデバイス４２５を用いることによって選択的に調節可能であるように記載されてよく、このことは近位端領域２１２から遠位端領域２１４まで規定される巻き付けられるガーメント部分の長さ２２９を選択的に調節することができる。
【００７１】
さらに、締め付けデバイス４２５は、締め付ける構成と、緩める構成とに構成可能であり得るように記載されてよい。１本または複数本のレース４３０の作用する長さは、締め付けデバイス４２５が締め付ける構成に構成された場合、選択的に短くすることが可能であり、長くならないように制限されてよい。さらに１本または複数本のレース４３０の作用する長さは、締め付けデバイス４２５が緩める構成に構成された場合、選択的に長くされる、または伸張されてよい。図１３Ａに示されるように、締め付けデバイス４２５は、１本または複数本のレース４３０の作用する長さを短くし、これにより第１の部分４４２を第２の部分４４４により近づけるように使用されてよく、このことは巻き付けられる部分を短くする、または締め付けることができる。反対に、図１３Ｂに示されるように、締め付けデバイス４２５は、１本または複数本のレース４３０の作用する長さを長くし、これにより第１の部分４４２を第２の部分４４４からさらに離れるように移動させることを可能にするために使用され、このことは巻き付けられる部分を長くする、または緩めることができる。
【００７２】
図１及び図９〜図１３に示されるように、締め付けデバイス４２５は、締め付け具４２０の上部領域に配置される。１つまたは複数の実施形態において、締め付けデバイス４２５は、例えばレーシング効果を高める、使い易さを改善するなどのために締め付け具４２０上で垂直方向の中心に置かれる場合もある。他の実施形態において、締め付けデバイス４２５は、図８に示されるものなど締め付け具４２０の下部領域付近に配置される場合もある。さらに本明細書に描かれるものなどの１つまたは複数の実施形態において、締め付けデバイス４２５は、例えばユーザの使い易さを改善するために、一例のガーメント部分が着用される際、身体の前面側に配置される場合もある。
【００７３】
図１及び図８〜図１１に示されるように、締め付け具４２０は、例えばユーザの手によって簡便にアクセスできるように、左側の下部の前面ガーメント部分１４４及び右側の下部の前面ガーメント部分１４８に近接して、かつ左側の巻き付けられる部分１０７及び右側の巻き付けられる部分１０８の一部として配置されてよい。また締め付け具４２０は、ガーメントを身体に近接するように締め付けたり調節したりする際の補助的な助けを必要とする可能性のあるガーメントに沿った任意の他の場所に配置される場合もある。本明細書に記載される締め付け具４２０は、「Ｃｏｍｐｒｅｓｓｉｏｎ  Ｇａｒｍｅｎｔ  Ｓｙｓｔｅｍ  ｗｉｔｈ  Ｔｉｇｈｔｅｎｉｎｇ  Ａｐｐａｒａｔｕｓ」というタイトルのＰＣＴ国際出願第ＰＣＴ／ＵＳ２０１５／０３６９５１号に見い出される１つまたは複数の特徴と同様であり、またこれを含む場合があり、この出願は、その全体において参照により本明細書に組み込まれている。
【００７４】
本明細書に記載されるガーメントのいずれかを提供するのに使用され得る１つまたは複数の小室８０１を含む一例のガーメントの一部８００の断面図が図１４に示されている。ガーメント部分８００は、外側を向く、例えばガーメント部分８００を身につけているユーザから見て外方に向くように構成された外側面８０２と、内側を向く、例えばガーメント部分８００を身につけているユーザの方に向くように構成された対向する内側面８０３とを画定することができる。内側面８０３は、ガーメント部分８００が身体に位置決めされる際、外側面８０２より人の身体に近づけて位置決めされるように構成されてよい。示されるように、ガーメント部分８００は、圧力付与領域を構成し、かつそれに相当する複数のチャンバを画定する。チャンバ８０１の各々は、チャンバの空間８０５を他のチャンバ８０１の空間から隔離する何らかの方法で隔てることができる（例えば、チャンバが）空間８０５を画定する。例えばチャンバ８０１の空間８０５は、例えば本明細書でさらに説明されるように、ガーメント部分８００の１つまたは複数の層の間の溶接部などの溶接部８１５によって隔てられてよい。チャンバ８０１によって画定される、またはその各々の中に画定される空間または隙間８０５は、流体を収容するように構成されてよい。この流体は、例えばガーメント部分８００がユーザによって身につけられる際、ガーメントの圧力付与領域において身体の一部に圧力を加えるために、供給源から（例えば図１に示されるポンプ１０３から）受け取ることができる。例えば流体は、連続式にまたは非連続式にチャンバ８０１の空間８０５の各々に誘導されてよい。
【００７５】
さらに、本明細書に記載される種々の圧力付与領域の各々は、例えば１つまたは複数のチャンバ８０１のうちの１つあるいはそのうちの複数のチャンバ８０１を含む場合がある。１つまたは複数の実施形態において、本明細書に記載される種々の圧力付与領域は、例えば同一の１つまたは複数のチャンバを含む場合があるが、例えばガーメント上の異なる場所に位置決めされる可能性がある。
【００７６】
ガーメント部分８００は、外側面８０２から内側面８０３までの１つまたは複数の層を含んでよい。例えば、外側に向いている層８０６、または外側面８０２を画定している層は、「ループ」面、または材料を形成する、もしくは画定する「面ファスナー式の」留め具に結合するために、外側面８０２上に「フック」面を画定するために１つまたは複数の線維材料を含んでよい。本明細書に記載される一例のガーメント部分の外側面は、「面ファスナー式の」留め具において使用するために「フック」面によって一部が画定される場合、または完全に画定される場合がある。
【００７７】
発泡層８０７が外側に向いている層８０７に隣接してよく、この場合ポリマー層８０８（例えばポリウレタン、ポリビニルなど）が、チャンバ８０１の空間８０３に面する発泡層８０７に隣接して配置されてよい。ガーメント部分８００の内側面は、外側に向いている層の代わりに発泡層８０７が、身体の胴体に隣接して配置されるように構成された繊維層８０９に隣接し得ることを除いて、外側面と同様であってよい。
【００７８】
そうでないことが指摘されなければ、明細書及びクレーム中で使用される特徴のサイズ、量及び物理的な特性を表す全ての数字は、全ての場合において用語「約」によって修飾されるように理解されるべきである。したがって反対のことが指摘されなければ、上述の明細書及び添付のクレーム中に記載される数値的なパラメータは、本明細書に開示される教示を利用する当業者が取得しようとする所望される特性に応じて変動する可能性のある近似値である。終点を含む数値的な範囲の使用は、その範囲内の全ての数字（例えば１〜５は、１、１．５、２、２．７５、３、３．８０、４及び５を含む）と、その範囲内の任意の範囲を含む。
【００７９】
開示される例において列挙される特定の材料及びその寸法、ならびにその他の条件及び詳細は、本開示を不当に制限するように解釈すべきではない。本主題は、構造的特徴及び／または方法論的な行為に固有の言語で記載されているが、添付の特許請求の範囲において定義される主題は、上記に記載される特定の特徴または行為に必ずしも限定されないことを理解されたい。むしろ上記に記載される特定の特徴及び行為は、特許請求の範囲を履行する代表的な形態として開示されている。
【図１】
2018531129.tif 000003
【図２】
2018531129.tif 000004
【図３】
2018531129.tif 000005
【図４】
2018531129.tif 000006
【図５】
2018531129.tif 000007
【図６】
2018531129.tif 000008
【図７】
2018531129.tif 000009
【図８】
2018531129.tif 000010
【図９】
2018531129.tif 000011
【図１０】
2018531129.tif 000012
【図１１】
2018531129.tif 000013
【図１２】
2018531129.tif 000014
【図１３Ａ】
2018531129.tif 000015
【図１３Ｂ】
2018531129.tif 000016
【図１４】
2018531129.tif 000017
【国際調査報告】
2018531129.tif 000018
2018531129.tif 000019
2018531129.tif 000020